(57)【要約】【課題】  チルトシリンダーがフルチルトする以前の段階で停止した場合でも、必要に応じて、警報ブザーを停止することが出来る様なチルトシリンダー装置の提供の提供。【解決手段】  シリンダ伸長時に作動する警報装置（ブザー）と、該警報装置を停止するリミットスイッチ（５）と、リミットスイッチ（５）を押圧して警報装置を停止する押し板（７）とを備え、該押し板（７）は、ブラケット（９）に対して回動可能に軸支され、リミットスイッチ（５）とは反対側端部にストッパレバー（１１）に突設された突起（１２）と当接する部材（８）を有していると共に、押し板（７）と一体的に形成され且つリミットスイッチ（５）を押圧して警報装置を停止する位置で固定される様に構成された固定手段（２０）を有している。【選択図】【図１】
2005212751.tif 000002
【特許請求の範囲】
【請求項１】
シリンダ伸長時に作動する警報装置と、該警報装置を停止するリミットスイッチと、リミットスイッチを押圧して警報装置を停止する押し板とを備え、該押し板は、ブラケットに対して回動可能に軸支され、リミットスイッチとは反対側端部にストッパレバーに突設された突起と当接する部材を有していると共に、押し板と一体的に形成され且つリミットスイッチを押圧して警報装置を停止する位置で固定される様に構成された固定手段を有していることを特徴としているチルトシリンダー装置。
【請求項２】
押し板と一体的に形成された前記固定手段には第１の開口が形成されており、ブラケットには第２の開口が形成されており、押し板が回動されてリミットスイッチを押圧して警報装置を停止する位置に来た場合に第１の開口と整合する位置に第２の開口は形成されており、整合した第１及び第２の開口に挿入されて固定手段をブラケットに対して固定するロックピンを備えている請求項１のチルトシリンダー装置。
【請求項３】
前記ロックピンは、第１の開口に常時挿入された状態で且つ軸線方向に移動可能な状態で固定手段に取り付けられており、第１の開口と第２の開口とが整合しても外力が付加されない限りは第２の開口内には挿入されない様に構成されている請求項２のチルトシリンダー装置。
【請求項４】
前記固定手段、第２の開口、ロックピンは、ロックピンが第２の開口に挿入された状態を維持する様に構成されている請求項３のチルトシリンダー装置。
【発明の詳細な説明】
【技術分野】
【０００１】
本発明はチルトキャブ（前傾可能なキャブ）を備えた車両のキャブをチルトアップするためのチルトシリンダー装置に関する。より詳細には、チルトシリンダー作動中であることを周囲に警告するための警報ブザーを作動、停止するための技術に関する。
【背景技術】
【０００２】
図６は本発明のチルトシリンダー装置が使用される周辺構成を示している。
キャブを支持するキャブフレーム３２と、キャブフレーム３２をチルトセンター３３まわりに回動自在に支持するシャシフレーム３４と、キャブフレーム３２とシャシフレームの間に取付けられてキャブをチルトさせるシリンダ体３０で周辺が構成されている。
シリンダ体３０は、チルトシリンダ３１とチルト位置を固定させるためのストッパレバー１１とで主要構成されている。
【０００３】
このような構成で、キャブをチルトさせる場合には、チルトが完了してキャブが所定角度に全傾斜するまではチルト中であることを知らせる警報装置（ブザー）が作動するようになっていた。
しかし、たとえばエンジンの保全、修理等でキャブを全傾斜させなくてもよい場合あるいはキャブの上方に干渉物がある場合等にはキャブを半傾斜（半チルト）の位置で支持固定することがある。この半チルト時にもブザーが作動して、たとえば作業員が連携して保全、修理等の作業をする場合に声が届かなくて作業が危険であったり、近傍に作業中はブザーが騒音となって迷惑をかける等の不都合があった。
【０００４】
図７および図８は、ブザーを作動させる装置の従来の構成を示していて、シリンダー体３０を構成するストッパレバー１１が伸長してチルトが完了するフルチルトになると、ストッパレバー１１に取付けられた突起１２が押し板３７を図における時計方向にまわして傾斜させ、リミットスイッチ５の弁ピン５ａを押し下げてブザーの作動を停止させるようにしている。
図８は、突起１２が押し板３７のストッパ側を時計方向にまわして弁ピン５ａを押し下げた状態を示している。
このような構成で、チルト中の警報装置の作動を停止させる手段はなく、チルト途中段階での作業はブザーの発信を継続させるか、配線を一時的に遮断させていた。
【０００５】
トラック等のキャブを有する車両をチルトアップするためのチルトシリンダー装置については、従来から種々提案されている（例えば、特許文献１参照）。
しかし、これらの技術には、半チルト時の警報停止装置が取付けられているものはない。
【特許文献１】特開２０００−２６４２６０号公報
【発明の開示】
【発明が解決しようとする課題】
【０００６】
本発明は上述した従来技術の問題点に鑑みて提案されたものであり、チルトシリンダーがフルチルトする以前の段階で停止した場合でも、必要に応じて、警報ブザーを停止することが出来る様なチルトシリンダー装置の提供を目的としている。
【課題を解決するための手段】
【０００７】
本発明のチルトシリンダー装置はシリンダ伸長時に作動する警報装置（ブザー）と、該警報装置を停止するリミットスイッチ（５）と、リミットスイッチ（５）を押圧して警報装置を停止する押し板（７）とを備え、該押し板（７）は、ブラケット（９）に対して回動可能に軸支され、リミットスイッチ（５）とは反対側端部にストッパレバー（１１）に突設された突起（１２）と当接する部材（８）を有していると共に、押し板（７）と一体的に形成され且つリミットスイッチ（５）を押圧して警報装置を停止する位置で固定される様に構成された固定手段（２０）を有している（請求項１）。
実施に際して、ブラケットはチルトシリンダーに固定させるとよい。
【０００８】
ここで、前記構成チルトシリンダー装置は、押し板（７）と一体的に形成された前記固定手段（２０）には第１の開口（２２）が形成されており、ブラケット（９）には第２の開口（ロックピン差込穴）（２４）が形成されており、押し板（７）が回動されてリミットスイッチ（５）を押圧して警報装置を停止する位置に来た場合に第１の開口（２２）と整合する位置に第２の開口（２４）は形成されており、整合した第１及び第２の開口（２２、２４）に挿入されて固定手段（２０）をブラケット（９）に対して固定するロックピン（２７）を備えていることが好ましい（請求項２）。
押し板の回動は自動でもよい。
【０００９】
前記ロックピン（２７）は、第１の開口（２２）に常時挿入された状態で且つ軸線方向に移動可能な状態で固定手段（２０）に取り付けられており、第１の開口（２２）と第２の開口（２４）とが整合しても外力が付加されない限りは第２の開口（２４）内には挿入されない様に構成されているのが好ましい（請求項３）。
【００１０】
前記固定手段（２０）、第２の開口（２４）、ロックピン（２７）は、ロックピン（２７）が第２の開口（２４）に挿入された状態を維持する様に構成されているのが好ましい（請求項４）。
実施に際して、ロックピンに抜け止めを取付けるとよい。
【発明の効果】
【００１１】
上述した様な構成を具備する本発明（請求項１）によれば、チルト段階の任意特定の位置で固定手段によってリミットスイッチを押圧して警報装置を停止させるので、警報が騒音となって連携作業が不安全になることがなくなる。また、チルト時間が長くなっても周囲への騒音拡散を継続することがない。
【００１２】
また、固定手段に第1の開口が形成され、ブラケットに第２の開口が形成され、押し板が回動してリミットスイッチを押圧して警報装置が停止する位置に第１、第２の開口にロックピンが挿入される（請求項２）ので簡単に間違いなく警報装置の停止ができる。
【００１３】
ロックピン２７は常時第１の開口２２に挿入されていて、軸線方向に移動可能（請求項３）なので第２の開口に挿入するのに簡単に正確にできて、警報装置の停止が容易である。
【００１４】
固定手段、第２の開口、ロックピンは、ロックピンが第２の開口に挿入された状態を維持するように構成されている（請求項４）ので、ロックピンが外れて急に警報が発信されることがなく安全である。
【発明を実施するための最良の形態】
【００１５】
図１は本発明のチルトシリンダー装置の実施形態を示す斜視構成図であって、警報ブザーが作動して発信している状態を示し、図２は警報ブザーが停止した状態を示している。
【００１６】
図において、シリンダ体３０に取付けられたブラケット９に設けられたピン２９に押し板７が回動可能に軸支され、その押し板７の１方はリミットスイッチ５の弁ピン５ａに接して配置され、他方はストッパレバー１１の方向に配置され、さらなる他方はストッパレバー１１の軸線と平行方向にのびてロックピン２７が取付けられている。
符号１５は、ストッップレバー１１の所定以上の傾斜をとめる回り止め部材である。
【００１７】
図３は押し板７とその周辺の主要部材の分解斜視図であり、図４は押し板７の単体の斜視図である。
ブラケット９の側面にピン２９が取付けられ、ピン２９に押し板７がピン孔３６が回動自在に取付けられている。
【００１８】
図４において、１方の端部にストッパレバー１１の所定の伸長時にストッパレバー１１に突設された突起１２に当接する当接部材である４角状の第１の板部８がピン孔３６を挟んでリミットスイッチ５の反対側に形成され、その第１の板部８にやや傾斜してピン孔３６の方向に同幅の傾斜部８ａが接続されている。
【００１９】
傾斜部８ａに警報ブザーが発信するときには回り止め部材１５に接する偏４角状の第２の板部１３が面一に突出して形成され、傾斜部８ａの端部は一面が傾斜部８ａと面一のコ字部１４に接続されている。
コ字部１４の上下のフランジ部１４ａ、１４ａの外端部にピン２７が遊嵌する第１の開口２２が設けられ、内端部に前記ピン孔３６が設けられている。
【００２０】
コ字部１４のリブ部が第３の板部３８を形成し、第３の板部３８はフランジ部１４ａ、１４ａの幅を超えて延長され、端部が第３の板部３８よりやや縦寸の大きい第４の板部３８ａに接続されている。第４の板部３８ａはリミットスイッチ５の弁ピン５ａに接するよう構成されてている。
【００２１】
図３に戻って、符号２８は後記するように、ロックピン２７の抜け止め機能を有してフランジ部１４ａ、１４ａの間に挿入されるよう構成されるクリップを示している。
【００２２】
ブラケット９の側面にピン２９の軸に平行して、第２の開口２４が第１の開口２２とほぼ同径に、ロックピン２７が嵌入可能に設けられている。第２の開口の位置は、第４の板部３８ａがリミットスイッチを押圧して警報装置を停止させる位置に整合させて設けられている。
【００２３】
図５は、ロックピン２７の側面を示している。
円形の頭部２７ａにやや小径の肩部２７ｂが接続され、肩部２７ｂにやや小径のピン部２７ｃが接続され、ピン部２７ｃの両端部が押し板７の第２の開口２２と遊嵌するよう構成されている。また、第２の開口２２への嵌込み、引出しが可能になっている。
【００２４】
ピン部の端部２７ｅはブラケット９の第２の開口に嵌着可能に、またピン部２７ｃに形成された切欠２７ｄにＣ字状のクリップ２８が外嵌めして抜け止めとすよう構成されている。
【００２５】
リミットスイッチ５は、伸縮自在な弁ピン５ａの伸長によって警報装置を作動させて発信し、圧縮によって警報ブザーを停止させるよう構成され、図示しない起動スイッチ等に信号線で連結されている。そして弁ピン５ａの頂部が、押し板７の第４の板部３８ａに接して配置されている。
なお、固定手段２０は前記の押し板７、ロックピン２７が含まれて構成されている。
【００２６】
上記構成のチルトシリンダー装置の作用を図１及び図２を参照して説明する。
キャブのチルトが必要になったとき、起動スイッチがＯＮされてシリンダ体３０が作動し、シリンダー３１とともにストッパレバー１１が伸長する。
【００２７】
ストッパレバー１１の伸長開始とともに警報ブザーが発信し、通常は所定の限度までキャブを傾斜させるチルトの限度まで警報ブザーが発信する。図１はこのチルトの途中段階の状態を示している。
【００２８】
そして、チルトの途中段階でキャブの傾斜を留める必要が生じたときに、チルトを停止させ、図１の状態にある押し板７を時計方向に回動させ、ロックピン２７を第２の開口２４に落として嵌着させる。
【００２９】
押し板７の時計方向への回動によって、押し板７の第４の板部３８ａがリミットスイッチ５の弁ピン５ａを圧縮させ警報ブザーを停止させる。図２はこの状態である。
警報ブザーの停止によって作業員の連携が阻害されることなく、安全、的確な作業が保証される。また、周囲への騒音をとめる。
【００３０】
このようにして、チルトの途中段階で警報ブザーを停止させた後に、たとえばキャブを降下させる場合はロックピン２７を第２の開口２４から引き抜き、第１の開口２２に嵌着させれば弁ピン５ａが伸長して再度、警報ブザーを発信させる。
【００３１】
このとき、弁ピン５ａの伸長を適宜の位置に留めるために、第２の板部１３が回り止め部材１５に当接して反時計方向への回動を制限する。
【図面の簡単な説明】
【００３２】
【図１】本発明の実施形態を示す斜視構成図である。
【図２】同上のチルト途中段階を示す斜視図である。
【図３】図1の主要部材の分解斜視図である。
【図４】図３のＡ部押し板の拡大図である。
【図５】組み付け状態のロックピン側面図である。
【図６】本発明が使用される部位を示す周辺構成図である。
【図７】従来の装置の実施形態を示す側面構成図である。
【図８】同上の作動を示す側面構成図である。
【符号の説明】
【００３３】
５・・・リミットスイッチ
７・・・押し板
８・・・（当接部材）第１の板部
９・・・  ブラケット
１１・・・ストッパレバー
１２・・・突起
１５・・・回り止め部材
２０・・・固定手段
２２・・・第1の開口
２４・・・第２の開口
２７・・・ロックピン
３０・・・シリンダ体
３４・・・シャシフレーム
３６・・・ピン孔
３８ａ・・・第４の板部
【図１】
2005212751.tif 000003
【図２】
2005212751.tif 000004
【図３】
2005212751.tif 000005
【図４】
2005212751.tif 000006
【図５】
2005212751.tif 000007
【図６】
2005212751.tif 000008
【図７】
2005212751.tif 000009
【図８】
2005212751.tif 000010